(57)【要約】【課題】組立、運搬を極めて簡単に行い得ると共に、保管のために多くのスペースを必要としない展示装置を提供すること。【解決手段】展示装置１は、主枠体２と、主枠体２の下方に回動自在に連結していると共に主枠体２を支持する支持手段３と、主枠体２に取り付けられると共に靴、化粧品等の物品を支える支え手段４と、主枠体２に連結されると共に展示品の商品名や提供元等の展示品に関する情報を表示する表示体５とを具備している。【選択図】      図１
2004159822.tif 000002
【特許請求の範囲】
【請求項１】
主枠体と、主枠体を支持する支持手段と、主枠体に取り付けられると共に展示品を支える支え手段とを具備しており、主枠体は、互いに並んで配された一対の縦部材を具備しており、支持手段は、一方の縦部材を間にして互いに対向して配されていると共に、上方に位置する一方の端部で一方の縦部材に回動自在であって当該縦部材の長手方向に移動自在に、下方に位置する他方の端部で一方の縦部材に回動自在に夫々連結されており、中間部で折り曲げ自在な一対の支持体と、他方の縦部材を間にして互いに対向して配されていると共に、上方に位置する一方の端部で他方の縦部材に回動自在であって当該縦部材の長手方向に移動自在に、下方に位置する他方の端部で他方の縦部材に回動自在に夫々連結されており、中間部で折り曲げ自在な一対の支持体とを具備している展示装置。
【請求項２】
支持体の夫々は、当該支持体の中間部としての夫々の一方の端部で軸を介して互いに回動自在に連結されている二つの支持部材を具備しており、二つの支持部材のうちの一方の支持部材は、その他方の端部で縦部材に回動自在であって縦部材の長手方向に移動自在に連結されており、二つの支持部材のうちの他方の支持部材は、その他方の端部で縦部材の下端部に回動自在に連結されており、支持手段は、一方の縦部材側の他方の支持部材と、他方の縦部材側の他方の支持部材との間に介在して、一方の縦部材側の支持体及び他方の縦部材側の支持体による主枠体の支持を補強する補強部材を具備しており、補強部材は、一方の縦部材側の他方の支持部材及び他方の縦部材側の他方の支持部材の夫々の他方の端部に回動自在に連結されている請求項１に記載の展示装置。
【請求項３】
縦部材の側面には、孔が設けられており、支持手段は、一対の支持体の夫々の一方の支持部材の他方の端部を縦部材に連結する連結体を具備しており、連結体は、縦部材を抱持していると共に当該縦部材の長手方向に移動自在な連結本体と、連結本体に可動に支持されていると共に縦部材の孔に挿入されて連結本体の縦部材に対する移動を解除自在に禁止する禁止部材と、禁止部材を縦部材に向かって押し付ける押し付け部材と、連結本体に固着されていると共に、一対の支持体の夫々の一方の支持部材の他方の端部に夫々軸を介して回動自在に連結された一対の連結部とを具備している請求項１又は２に記載の展示装置。
【請求項４】
主枠体と、主枠体を支持する支持手段と、主枠体に取り付けられると共に展示品を支える支え手段とを具備しており、主枠体は、互いに並んで配された一対の縦部材と、一対の縦部材間に配設されていると共に孔を有する板状体とを具備しており、支え手段は、展示品を支え持つ支え部材と、支え部材が着脱自在に装着されると共に、板状体の孔に留め具を介して連結されて当該板状体を解除自在に挟持する一対の挟持部材とを具備している展示装置。
【請求項５】
板状体は、複数の細棒が縦及び横方向に張られてなる網状板からなる請求項４に記載の展示装置。
【請求項６】
展示品に関する情報を表示する表示体を具備しており、少なくとも一方の縦部材は、その上端部で中空となっており、表示体は、展示品に関する情報を表示する板状部材と、板状部材に固着されていると共に縦部材の中空の部位に嵌め込まれて当該縦部材に連結される下方に向かってコの字形状の連結部材とを具備している請求項１から５のいずれか一項に記載の展示装置。
【発明の詳細な説明】
【０００１】
【発明の属する技術分野】
本発明は、靴、化粧品等の物品（展示品）を広告、宣伝、販売等のために展示する展示装置に関する。
【０００２】
【従来の技術】
展示品を展示する展示装置は、通常、展示品を保持する本体と、この本体の下端部を支持する支持台とを具備してなる。
【０００３】
【特許文献１】
特開２００２−２８２０９９号公報
【０００４】
【発明が解決しようとする課題】
この種の展示装置は、靴、化粧品等の物品の新製品の発表のために、異なる場所、例えば、ホテル、百貨店等に運ばれて用いられるために、その組立が容易であってしかも運搬、保管において嵩張らないことが通常要求されるが、従来提案されている展示装置は、斯かる要求を必ずしも満たすものではない。
【０００５】
本発明は、前記諸点に鑑みてなされたものであり、その目的とするところは、組立、運搬を極めて簡単に行い得ると共に、保管のために多くのスペースを必要としない展示装置を提供することにある。
【０００６】
【課題を解決するための手段】
本発明の第一の態様の展示装置は、主枠体と、主枠体を支持する支持手段と、主枠体に取り付けられると共に展示品を支える支え手段とを具備しており、主枠体は、互いに並んで配された一対の縦部材を具備しており、支持手段は、一方の縦部材を間にして互いに対向して配されていると共に、上方に位置する一方の端部で一方の縦部材に回動自在であって当該縦部材の長手方向に移動自在に、下方に位置する他方の端部で一方の縦部材に回動自在に夫々連結されており、中間部で折り曲げ自在な一対の支持体と、他方の縦部材を間にして互いに対向して配されていると共に、上方に位置する一方の端部で他方の縦部材に回動自在であって当該縦部材の長手方向に移動自在に、下方に位置する他方の端部で他方の縦部材に回動自在に夫々連結されており、中間部で折り曲げ自在な一対の支持体とを具備している。
【０００７】
第一の態様の展示装置によれば、支持手段が、一方の縦部材を間にして互いに対向して配されていると共に、上方に位置する一方の端部で一方の縦部材に回動自在であって当該縦部材の長手方向に移動自在に、下方に位置する他方の端部で一方の縦部材に回動自在に夫々連結されており、中間部で折り曲げ自在な一対の支持体と、他方の縦部材を間にして互いに対向して配されていると共に、上方に位置する一方の端部で他方の縦部材に回動自在であって当該縦部材の長手方向に移動自在に、下方に位置する他方の端部で他方の縦部材に回動自在に夫々連結されており、中間部で折り曲げ自在な一対の支持体とを具備しているために、一対の支持体の夫々を主枠体の一対の縦部材に沿って仕舞い込んで、展示装置を一枚の板の様（板状）にすることができ、而して、運搬を極めて簡単に行い得ると共に保管のために多くのスペースを必要としなく、しかも、組立を極めて簡単に行い得る。
【０００８】
本発明の第二の態様の展示装置では、本発明の第一の態様の展示装置において、支持体の夫々は、当該支持体の中間部としての夫々の一方の端部で軸を介して互いに回動自在に連結されている二つの支持部材を具備しており、二つの支持部材のうちの一方の支持部材は、その他方の端部で縦部材に回動自在であって縦部材の長手方向に移動自在に連結されており、二つの支持部材のうちの他方の支持部材は、その他方の端部で縦部材の下端部に回動自在に連結されており、支持手段は、一方の縦部材側の他方の支持部材と、他方の縦部材側の他方の支持部材との間に介在して、一方の縦部材側の支持体及び他方の縦部材側の支持体による主枠体の支持を補強する補強部材を具備しており、補強部材は、一方の縦部材側の他方の支持部材及び他方の縦部材側の他方の支持部材の夫々の他方の端部に回動自在に連結されている。
【０００９】
本発明の第二の態様の展示装置によれば、一方の縦部材側の他方の支持部材と、他方の縦部材側の他方の支持部材との間に介在する補強部材を具備しているために、展示装置の組立、運搬に際しての支障をなくし得、例えばホテル等の展示場における振動に基づく一対の支持体の夫々の揺動を低減することができ、しかも、補強部材が、他方の支持部材の夫々の他方の端部に回動自在に連結されているために、補強部材を一対の縦部材に沿って仕舞い込んで、展示装置を板状にすることができる。
【００１０】
本発明の第三の態様の展示装置では、本発明の第一又は第二の態様の展示装置において、縦部材の側面には、孔が設けられており、支持手段は、一対の支持体の夫々の一方の支持部材の他方の端部を縦部材に連結する連結体を具備しており、連結体は、縦部材を抱持していると共に当該縦部材の長手方向に移動自在な連結本体と、連結本体に可動に支持されていると共に縦部材の孔に挿入されて連結本体の縦部材に対する移動を解除自在に禁止する禁止部材と、禁止部材を縦部材に向かって押し付ける押し付け部材と、連結本体に固着されていると共に、一対の支持体の夫々の一方の支持部材の他方の端部に夫々軸を介して回動自在に連結された一対の連結部とを具備している。
【００１１】
本発明の第三の態様の展示装置によれば、特に、一対の支持体の夫々の一方の支持部材の他方の端部を縦部材に連結する連結体が、縦部材の孔に挿入されて連結本体の縦部材に対する移動を解除自在に禁止する禁止部材を具備しているために、支持手段の組立てた状態及び仕舞い込んだ状態をしっかりと保持し得る。
【００１２】
本発明の第四の態様の展示装置は、主枠体と、主枠体を支持する支持手段と、主枠体に取り付けられると共に展示品を支える支え手段とを具備しており、主枠体は、互いに並んで配された一対の縦部材と、一対の縦部材間に配設されていると共に孔を有する板状体とを具備しており、支え手段は、展示品を支え持つ支え部材と、支え部材が着脱自在に装着されると共に、板状体の孔に留め具を介して連結されて当該板状体を解除自在に挟持する一対の挟持部材とを具備している。
【００１３】
本発明の第四の態様の展示装置によれば、主枠体が、互いに並んで配された一対の縦部材と、一対の縦部材間に配設されていると共に孔を有する板状体とを具備しており、支え手段が、展示品を支え持つ支え部材と、支え部材が着脱自在に装着されると共に、板状体の孔に留め具を介して連結されて当該板状体を解除自在に挟持する一対の挟持部材とを具備しているために、支え部材若しくは一対の挟持部材を板状体から簡単に取り外して展示装置を板状にすることができ、而して、運搬を極めて簡単に行い得ると共に保管のために必要なスペースを少なくし得る。
【００１４】
本発明の第五の態様の展示装置では、本発明の第四の態様の展示装置において、板状体は、複数の細棒が縦及び横方向に張られてなる網状板からなる。
【００１５】
本発明の第五の態様の展示装置によれば、板状体が、複数の細棒が縦及び横方向に張られてなる網状板からなるために、一対の挟持部材を配する位置の選択幅を増すことができ、而して、展示品を好適な位置で展示し得る。
【００１６】
本発明の第六の態様の展示装置では、本発明の第一から第五のいずれかの態様の展示装置において、展示品に関する情報を表示する表示体を具備しており、少なくとも一方の縦部材は、その上端部で中空となっており、表示体は、展示品に関する情報を表示する板状部材と、板状部材に固着されていると共に縦部材の中空の部位に嵌め込まれて当該縦部材に連結される下方に向かってコの字形状の連結部材とを具備している。
【００１７】
本発明の第六の態様の展示装置によれば、展示品に関する情報を表示する表示体が縦部材に嵌め込まれて連結されるようになっているために、一台の展示装置で展示品の情報を表示すると共に展示品を展示することができ、しかも、表示体を縦部材から取り外して展示装置を板状にすることができ、而して、運搬を極めて簡単に行い得ると共に保管のために必要なスペースを少なくし得、しかも、表示体自体を容易に交換することができ、従って、展示品に関する情報の表示を簡単に変更することができる。
【００１８】
以下、本発明及びその実施の形態を、図に示す好ましい例に基づいて詳細に説明する。尚、本発明はこれらの例に何等限定されないのである。
【００１９】
【発明の実施の形態】
図１から図１０において、本例の展示装置１は、主枠体２と、主枠体２の下方に回動自在に連結していると共に主枠体２を支持する支持手段３と、主枠体２に取り付けられると共に靴、化粧品等の物品（展示品）を支える支え手段４と、主枠体２に連結されると共に展示品の商品名や提供元等の展示品に関する情報を表示する表示体５とを具備している。
【００２０】
主枠体２は、互いに並んで配された矩形状であって中空の一対の縦部材１２及び１３と、一対の縦部材１２及び１３の上端部１４を橋絡する矩形状であって好ましくは中空の上部枠部材１５と、一対の縦部材１２及び１３間に配設されていると共に複数の孔１６を有する板状体としての網状板１７とを具備している。
【００２１】
縦部材１２及び１３は、図２及び図１０に示すように、夫々の側面２１に縦部材１２の長手方向Ｘで互いに対向して配されていると共に、禁止部材５２が挿入される一対の孔２２を夫々具備している。
【００２２】
図１０に示す下方に位置する孔２２は、図２に示すように支持手段３が組立てられた際に、禁止部材５２が挿入されるように、側面２１に配されている。図２に示す上方に位置する孔２２は、図１０に示すように支持手段３が主枠体２に沿って伸張された際に、禁止部材５２が挿入されるように、側面２１に配されている。
【００２３】
上部枠部材１５及び網状板１７は、一対の縦部材１２及び１３に溶接等により夫々固着されている。
【００２４】
網状板１７は、複数の細棒２３が縦及び横方向に張られてなり、複数の細棒２３は、複数の孔１６を規定している。
【００２５】
縦部材１２側と縦部材１３側とは、夫々互いに同様に構成されているので、以下、縦部材１２側について詳細に説明し、縦部材１３側については同符合をもって図示して詳細な説明を省略する。
【００２６】
支持手段３は、縦部材１２を間にして互いに対向して配されていると共に、上方に位置する一方の端部２５で縦部材１２に連結体３０を介して縦部材１２に対して回動自在であって方向Ｘに移動自在に、下方に位置する他方の端部２６で縦部材１２に軸４４を介して縦部材１２に対して回動自在に夫々連結されており、端部２５及び２６間の中間部２７で折り曲げ自在な一対の支持体２８及び２９と、一対の支持体２８及び２９の夫々の端部２５を縦部材１２に連結する連結体３０と、縦部材１２側の支持体２８及び縦部材１３側の支持体２８による主枠体２の支持を補強する補強部材３１と、縦部材１２側の支持体２９及び縦部材１３側の支持体２９による主枠体２の支持を補強する補強部材３２とを具備している。
【００２７】
一対の支持体２８及び２９は、中間部２７としての夫々の端部３３及び３７で軸３４を介して互いに回動自在に連結されている支持部材３５及び３６を夫々具備している。
【００２８】
一対の支持体２８及び２９の夫々の支持部材３５及び３６は、夫々同様に形成されているので、以下、支持体２８の支持部材３５及び３６について詳細に説明し、支持体２９の支持部材３５及び３６については、同符号をもって図示してその詳細な説明を省略する。
【００２９】
矩形棒状であって中空の支持部材３５は、端部２５としての端部４１で縦部材１２に連結体３０を介して回動自在であって方向Ｘに移動自在に連結されている。
【００３０】
支持部材３５よりも下方に位置する支持部材３６は、図１に示す状態で上方に向かって凹状の棒状体からなり、端部２６としての端部４２で縦部材１２の下端部４３に軸４４を介して回動自在に連結されている。支持部材３６は、図３及び図８に示すように、端部３７及び４２間であってその側面３８に溶接等により固着されていると共に補強部材３１を係止して当該補強部材３１の下方に向かう所望量以上の回動を規制する規制部材３９を具備している。規制部材３９は、本例では、支持部材３６に対して実質的に平行となった補強部材３１を係止するようになっている。
【００３１】
連結体３０は、縦部材１２を抱持していると共に方向Ｘに移動自在な連結本体５１と、連結本体５１に方向Ｘに直交するＡ及びＢ方向に可動に支持されていると共に、縦部材１２の孔２２に挿入されて連結本体５１の縦部材１２に対する方向Ｘの移動を解除自在に禁止する棒状の禁止部材５２と、連結本体５１に支持されていると共に禁止部材５２を縦部材１２に向かってＡ方向に押し付ける押し付け部材としてのコイルばね５３と、連結本体５１に固着されていると共に、支持体２８及び２９の夫々の支持部材３５の端部４１に夫々軸５４を介して回動自在に連結された一対の連結部５５とを具備している。
【００３２】
連結本体５１は、矩形状であって中空の本体部６１と、本体部６１の側面２１側の側面６２に一体的に固着されていると共に禁止部材５２及びコイルばね５３を支持している支持部６３とを具備しており、本体部６１の中空の部位には、縦部材１２が摺動自在に配されている。
【００３３】
本体部６１は、側面６２に対面する側面６５に設けられた方向Ｘに伸びた細隙６６を具備しており、細隙６６には、網状板１７が配されている。尚、本体部６１の側面６２には、禁止部材５２が摺動自在に挿通されている。
【００３４】
支持部６３でＡ及びＢ方向に移動自在に支持されている禁止部材５２は、当該禁止部材５２が図２及び図１０に示す位置に配された際に、コイルばね５３によるＡ方向への弾性的な押し付け力によりＡ方向に移動して図４に示すように孔２２に挿入されるようになっている。
【００３５】
一対の連結部５５は、夫々互いに連結本体５１を間にして配されていると共に、連結本体５１に溶接等により一体的に固着されている。
【００３６】
補強部材３１及び３２は、方向Ｘ並びにＡ及びＢ方向に直交する方向で互いに対向して配されていると共に、夫々同様に形成されているので、以下、補強部材３１について詳細に説明し、補強部材３２については、同符号をもって図示してその詳細な説明を省略する。
【００３７】
補強部材３１は、Ａ及びＢ方向で互いに対向している縦部材１２側の支持部材３６と縦部材１３側の支持部材３６との間に介在しており、夫々の支持部材３６の端部４２に軸４４を介して縦部材１２及び１３に対して回動自在に連結されている。補強部材３１は、その側壁６７で規制部材３９に係止されるようになっている。
【００３８】
以上の支持手段３は、禁止部材５２が孔２２に挿入されることにより支持部材３５及び３６の縦部材１２に対する回動及び移動を禁止して、一対の支持体２８及び２９の主枠体２に対する図２及び図１０に示す状態を保つようになっていると共に、禁止部材５２がＢ方向に引っ張られて孔２２から抜出されることにより支持部材３５及び３６の縦部材１２に対する回動及び移動の禁止を解除して、一対の支持体２８及び２９の組立及び仕舞い込みを可能にするようになっている。
【００３９】
支え手段４は、展示品を支え持つ支え部材７１と、支え部材７１が着脱自在に装着されると共に、網状板１７に留め具としてのねじ７２を介して連結されて当該網状板１７を解除自在に挟持する複数の一対の挟持部材７３及び７４とを具備している。ねじ７２は、孔１６を介して挟持部材７３及び７４を連結するようになっている。
【００４０】
挟持部材７３及び７４は、図５に示すように、夫々板状であって互いに対向して配されており、夫々の両端部には支え部材７１を保持する一対の保持部７５を有している。挟持部材７３は、ねじ７２が挿通されるように形成されており、挟持部材７４は、ねじ７２に螺合するように形成されている。挟持部材７３及び７４は、挟持部材７３にねじ７２が挿通されると共に挟持部材７４にねじ７２が螺合することにより細棒２３を挟み持つようになっている。
【００４１】
保持部７５の夫々は、孔７８を有しており、孔７８に被保持部７７が配されることにより支え部材７１を保持するようになっている。
【００４２】
支え部材７１は、図６に示すように、所望の形状に曲げられてなる枠体７６からなり、枠体７６には、孔７８に挿入されて保持部７５に保持される被保持部７７が形成されている。
【００４３】
以上の支え手段４によれば、展示装置１の組立時において、挟持部材７３及び７４を網状板１７の所望位置に配して支え部材７１に支え持たれた展示品を好適な位置で展示することができ、また、展示装置１の折り畳み時において、被保持部７７を孔７８から抜き、ねじ７２を回して挟持部材７３及び７４の連結を解除することで支え部材７１及び挟持部材７３及び７４を簡単に取り外すことができ、しかも、展示装置１を、運搬時に嵩張らないように一枚の板の様（板状）にすることができる。
【００４４】
表示体５は、図７に示すように、展示品に関する情報を表示する鉄製の板状部材８１と、板状部材８１にねじ又は溶接等により固着されていると共に縦部材１２の中空の部位に嵌め込まれて縦部材１２に連結される下方に向かってコの字形状の連結部材８２とを具備している。
【００４５】
板状部材８１には、例えば、商品名や商品の提供元等が印刷された磁性を有する可撓性の薄板（シート）がその磁力により取り付けられてもよく、また、例えば、板状部材８１自体に商品名や商品の提供元等が刻み込まれ又は印刷されていてもよい。
【００４６】
連結部材８２は、可撓性であり、両端部８３が互いに接近するように撓められながら縦部材１２の上端部に嵌め込まれるようになっている。
【００４７】
以上の表示体５によれば、連結部材８２が縦部材１２に嵌め込まれるようになっているために、展示品の情報を表示すると共に展示品を展示することができ、しかも、表示体５を縦部材１２から取り外して展示装置１を板状にすることができ、しかも、縦部材１２に連結している表示体５を他の表示体５に容易に交換することができ、従って、展示品に関する情報の表示を簡単に変更することができる。
【００４８】
尚、挟持部材７３及び７４、支え部材７１並びに表示体５は、運搬、保管に際しては取り外されるようになっている。
【００４９】
以上の展示装置１では、催し会場等で商品等の展示品を展示する場合には、図１に示すように、主枠体２が支持手段３により支持されるように組立てられる。
【００５０】
展示後、展示装置１を運搬、保管する際には、まず表示体５、支え部材７１並びに挟持部材７３及び７４を取り外して、その後、補強部材３１及び３２を上方に向かって回動させて図８に示す位置に配し、禁止部材５２をＢ方向に引っ張ることで図９に示すように当該禁止部材５２を下方に位置する孔２２から抜出させて、禁止部材５２が上方に移動するように一対の支持部材３５及び３６を伸張させて、図１０に示すように、縦部材１２と一対の支持部材３５及び３６とを実質的に互いに平行になるようにする。
【００５１】
図１０に示すように折り畳まれると、展示装置１は一枚の板の様になり、したがって、斯かる状態では、運搬を極めて簡単に行い得ると共に、保管のために多くのスペースを必要としない。
【００５２】
即ち、展示装置１によれば、支持手段３が、縦部材１２を間にして互いに対向して配されていると共に、上方に位置する端部２５で縦部材１２に回動自在であって方向Ｘに移動自在に、下方に位置する端部２６で縦部材１２に回動自在に夫々連結されており、中間部２７で折り曲げ自在な一対の支持体２８及び２９と、縦部材１３を間にして互いに対向して配されていると共に、上方に位置する端部２５で縦部材１３に回動自在であって方向Ｘに移動自在に、下方に位置する端部２６で縦部材１３に回動自在に夫々連結されており、中間部２７で折り曲げ自在な一対の支持体２８及び２９とを具備しているために、一対の支持体２８及び２９の夫々を主枠体２の一対の縦部材１２及び１３に沿って仕舞い込んで、展示装置１を一枚の板の様（板状）にすることができ、而して、運搬を極めて簡単に行い得ると共に保管のために多くのスペースを必要としなく、しかも、組立を極めて簡単に行い得、加えて、縦部材１２側の支持部材３６と縦部材１３側の支持部材３６との間に介在する補強部材３１及び３２を具備しているために、展示装置１の組立、運搬に際しての支障をなくし得、例えばホテル等の展示場における振動に基づく一対の支持体２８及び２９の夫々の揺動を低減することができ、更に、補強部材３１及び３２が、支持部材３６の夫々の端部４２に回動自在に連結されているために、補強部材３１及び３２を一対の縦部材１２及び１３に沿って仕舞い込んで、展示装置１を板状にすることができ、しかも、一対の支持体２８及び２９の夫々の支持部材３５の端部４１を縦部材１２及び１３の夫々に連結する連結体３０が、縦部材１２及び１３の孔２２に挿入されて連結本体５１の縦部材１２及び１３に対する方向Ｘの移動を解除自在に禁止する禁止部材５２を具備しているために、支持手段３の組立てた状態及び仕舞い込んだ状態をしっかりと保持し得る上に、支え手段４が、展示品を支え持つ支え部材７１と、支え部材７１が着脱自在に装着されると共に、網状板１７にねじ７２を介して連結されて当該網状板１７を解除自在に挟持する一対の挟持部材７３及び７４とを具備しているために、支え部材７１若しくは一対の挟持部材７３及び７４を網状板１７から簡単に取り外して展示装置１を板状にすることができ、また、複数の細棒２３が縦及び横方向に張られてなる網状板１７を具備しているために、一対の挟持部材７３及び７４を配する位置の選択幅を増すことができ、而して、展示品を好適な位置で展示し得、更に加えて、展示品に関する情報を表示する表示体５が縦部材１２に嵌め込まれて連結されるようになっているために、一台の展示装置１で展示品の情報を表示すると共に展示品を展示することができ、表示体５を縦部材１２から取り外して展示装置１を板状にすることができ、また、表示体５自体を容易に交換することができ、従って、展示品に関する情報の表示を簡単に変更することができる。
【００５３】
また展示装置１によれば、上部枠部材１５及び補強部材３１及び３２により主枠体２及び支持手段３の夫々が補強されているので、組立、運搬に支障が生じない。
【００５４】
尚、本例の展示装置１の網状板１７には、細棒２３にフック等を介して棚が係止されるようになっていてもよく、斯かる棚が係止される場合には、当該棚に展示品が載置されることで当該展示品を展示する。
【００５５】
また、本例の展示装置１は、コイルばね５３に代えて、禁止部材５２を縦部材１２に向かってＡ方向に押し付ける板ばねを具備していてもよい。
【００５６】
【発明の効果】
本発明によれば、組立、運搬を極めて簡単に行い得ると共に、保管のために多くのスペースを必要としない展示装置を提供することができる。
【図面の簡単な説明】
【図１】本発明の実施の形態の好ましい例の斜視図である。
【図２】図１に示す例の一部拡大説明図である。
【図３】図１に示す例の一部拡大説明図である。
【図４】図１に示す例の主に禁止部材の拡大説明図である。
【図５】図１に示す例の主に挟持部材の拡大説明図である。
【図６】図１に示す例の主に支え部材の拡大説明図である。
【図７】図１に示す例の主に表示体の拡大説明図である。
【図８】図１に示す例の主に補強部材の動作説明図である。
【図９】図１に示す例の主に禁止部材の動作説明図である。
【図１０】図１に示す例の主に支持手段の動作説明図である。
【符号の説明】
１  展示装置
２  主枠体
３  支持手段
４  支え手段
５  表示体
１２、１３  縦部材
２８、２９  支持体
７１  支え部材
７３、７４  挟持部材
【図１】
2004159822.tif 000003
【図２】
2004159822.tif 000004
【図３】
2004159822.tif 000005
【図４】
2004159822.tif 000006
【図５】
2004159822.tif 000007
【図６】
2004159822.tif 000008
【図７】
2004159822.tif 000009
【図８】
2004159822.tif 000010
【図９】
2004159822.tif 000011
【図１０】
2004159822.tif 000012